(57)【特許請求の範囲】
【請求項１】
発音体と、前記発音体を振動させる発音体振動手段とを備え、前記発音体振動手段にて前記発音体を振動させて音を発生する発音装置において、
当該発音装置は、前記発音体に当接することにより前記発音体が発生する音の音量を低減する振動低減部材と、前記発音体、前記発音体振動手段、及び前記振動低減部材を収納する筺体とを備え、
前記筺体には、音孔と、前記音孔を開閉する音孔開閉手段とを設け、
前記音孔開閉手段は、前記筐体の内側に遮蔽板を移動可能に装着してなるものであり、
前記発音体は、金属製の振動板を備え、
前記振動板には、前記振動低減部材を支える係止部を設け、
前記振動低減部材は、プレートの片面に緩衝体を設けてなるものであり、前記振動板と前記遮蔽板との間に位置し、これが前記音孔開閉手段と連動して前記係止部を起点に起倒することにより、前記音孔が開くと前記緩衝体が前記振動板から離れ、前記音孔が閉じると前記緩衝体が前記振動板に圧接するようにしたことを特徴とする発音装置。
【発明の詳細な説明】
【技術分野】
【０００１】
本発明は、発音体を振動させて音を発生する発音装置に関する。
【背景技術】
【０００２】
一般に、発音体を振動させて音を発生する装置が知られている。この種の発音装置は、時計の時報やからくり装置の音源として利用されている。特許文献１には、棒鈴と称する円管状の発音体を叩打することにより音を発生する装置が開示されている。特許文献２には、櫛歯と称するオルゴール用の発音体を弾くことにより音を発生する装置が開示されている。
【特許文献１】特開２０００−１３７４８１号公報
【特許文献２】特開２００１−１７５２５２号公報
【発明の開示】
【発明が解決しようとする課題】
【０００３】
さて、発音体及びこれを振動させる発音体振動手段を所定の筺体の内部に収納する場合は、筺体の要所に音孔を設けて、発音体の発生音が音孔から拡散するように構成するとよい。ただし、発音装置の設置場所や、音を発生する時間帯によっては、その音が必要以上に大きくなる場合もあり、望ましくは、音量を抑えるための工夫も必要とされる。本発明は、かかる事情に鑑みてなされたものであり、その目的は、より機能的に構成された発音装置を得ることである。
【課題を解決するための手段】
【０００４】
本願第１請求項に記載した発明は、発音体と、前記発音体を振動させる発音体振動手段とを備え、前記発音体振動手段にて前記発音体を振動させて音を発生する発音装置において、当該発音装置は、前記発音体に当接することにより前記発音体が発生する音の音量を低減する振動低減部材と、前記発音体、前記発音体振動手段、及び前記振動低減部材を収納する筺体とを備え、前記筺体には、音孔と、前記音孔を開閉する音孔開閉手段とを設け、前記音孔開閉手段は、前記筐体の内側に遮蔽板を移動可能に装着してなるものであり、前記発音体は、金属製の振動板を備え、前記振動板には、前記振動低減部材を支える係止部を設け、前記振動低減部材は、プレートの片面に緩衝体を設けてなるものであり、前記振動板と前記遮蔽板との間に位置し、これが前記音孔開閉手段と連動して前記係止部を起点に起倒することにより、前記音孔が開くと前記緩衝体が前記振動板から離れ、前記音孔が閉じると前記緩衝体が前記振動板に圧接するようにした構成の発音装置である。
【発明の効果】
【０００５】
本発明によれば、より機能的に構成された発音装置を得ることができる。
【発明を実施するための最良の形態】
【０００６】
以下に、本発明の実施例を図面に基づいて詳細に説明する。図１乃至図３に示す時計装置１は、筐体１０の内部に人形駆動装置２０及び発音装置１００を収納するとともに、その筐体１０の上部に時計本体３０を設けてなるからくり時計である。この時計装置１は、不図示の制御手段により制御されており、所定の時刻になると、人形駆動装置２０が人形を２１駆動するとともに、発音装置１００が作動する構成となっている。筐体１０の正面には、人形２１及び発音装置１００を露呈する窓部１１が設けられている。窓部１１には、透明板が嵌め込まれている。また、筐体１０の背面には、発音装置１００が発生する発生音を筐体１０の外部に拡散するための音孔１２と、音孔１２を開閉する音孔開閉手段１３とが設けられている。人形駆動装置２０の構成は、特に限定はしないが、本例では、モータにて駆動される人形２１が、発音装置１００の発生音に合わせて楽器を奏でるしぐさをする構成となっている。
【０００７】
発音装置１００は、図４乃至図６に示すように、発音体１１０と、発音体１１０を振動させる発音体振動手段１２０と、発音体１１０に当接することにより発音体１１０が発生する音の音量を低減する振動低減部材１３０とを備えている。発音体１１０、発音体振動手段１２０、及び振動低減部材１３０は、筐体１０の内部に収納されている。
【０００８】
本例の場合、発音体１１０は、支持体１１３を介して振動板１１２に棒鈴１１１を固定してなるものである。棒鈴１１１、振動板１１２、及び支持体１１３は、金属製の部材である。発音体振動手段１２０は、所定の位置において揺動可能に設けられた撞木１２２と、この撞木１２２を操作するソレノイド１２１とを備えたものである。この発音装置１は、撞木１２２にて棒鈴１１１を叩打することにより、棒鈴１１１、振動板１１２、及び支持体１１３を振動させて所定の音色の音を発生する構成となっている。また、振動板１１２には、その幅方向に亘って複数の棒鈴１１１を列設しており、ソレノイド１２１及び撞木１２２は、各棒鈴１１１に対してそれぞれ設けられている。各棒鈴は、それぞれ異なる音色を発生するものである。制御手段は、各ソレノイド１２１を作動するタイミングを制御し、これにより音色の組み合わせが生じる。
【０００９】
振動低減部材１３０は、プレート１３１の片面に緩衝体１３２を設けてなるものである。緩衝体１３２としては、ウレタンを採用している。発音体１１０が発生する音の音量は、緩衝体１３２を振動板１１２に圧接することにより低減される。振動板１１２に緩衝１３２を圧接することによれば、音量が低減され、また余韻も消去される訳である。この振動低減部材１３０は、音孔開閉手段１３と連動して移動することにより、音孔１２が開くと発音体１１０から離れ、音孔１２が閉じると発音体１１０に当接する構成となっている。
【００１０】
音孔開閉手段１３は、筐体１０の背面内側に、通孔１３ａ及び操作部１３ｂを設けた遮蔽板１３ｃを移動可能に装着してなるものである。筐体１０の要所には、遮蔽板１３ｃを左右方向にスライド移動可能に案内するガイド部（図示はせず）が設けられている。遮蔽版１３ｃを左右の一方に移動すると、通孔１３ａと音孔１２が合致して、音孔１２が開いた状態となる（図６（ａ）参照）。また、遮蔽板１３ｃを左右の他方に移動すると、通孔１３ａと音孔１２がずれて、音孔１２が閉じた状態となる（図６（ｂ）参照）。操作部１３ｂは、遮蔽板１３ｃに貫通したボスである。筐体１０の要所には、操作部１３ｂを外部に突出する長孔１０ａが設けられており、遮蔽版１３ｃは、操作部１３ｂを左右に操作することにより、移動させる構成となっている。
【００１１】
前述した振動低減部材１３０は、振動板１１２と遮蔽板１３ｃとの間に設けられている。振動板１１２には、振動低減部材１３０の下部を支える係止部１３３が設けられている。振動低減部材１３０は、その下部を係止部１３３に支えられるとともに、自重で振動板１１２の反対側に倒れようとする。音孔開閉手段１３の操作部１３ｂは、振動低減部材１３０側に突出しており、振動低減部材１３０のプレート１３１と当接している。すなわち、振動低減部材１３０は、係止部１３３を基点に起倒し、振動板１１２に対する振動低減部材１３０の角度は、操作部１３ｂによって規制されている。
【００１２】
更に、振動低減部材１３０のプレート１３１には、操作部１３ｂと対応する凹部１３４が設けられている。音孔１２が開いた状態においては、操作部１３ｂの先端が凹部１３４に入り、振動板１１２と振動低減部材１３０と間に隙間が形成される（図６（ａ）参照）。また、音孔１２が閉じた状態においては、操作部１３ｂの先端が凹部１３４から乗り上げて、振動板１１２に振動低減部材１３０が押し付けられる（図６（ｂ）参照）。
【００１３】
このような構成によると、音孔１２を閉じたときは、筐体１０外部への音の拡散を抑えるのみならず、発音体１１０から発生する音そのものを低減することができる。また、振動低減部材１３０は、音孔開閉手段１３と連動して移動するので、煩わしい操作をせずとも、目的に準じて発音体１１０に当接させることができるという利点がある。
【００１４】
尚、本例における各部の構成は、特許請求の範囲に記載した技術的範囲において適宜に設計変更が可能であり、図例説明したものに限定されないことは勿論である。本例の発音装置は、棒鈴を叩打するものであるが、振動低減部材を音孔開閉手段と連動して移動する構成は、櫛歯を弾くオルゴールに応用することも可能である。
【産業上の利用可能性】
【００１５】
本発明の発音装置は、時計の時報やからくり装置の音源として好適に利用することが可能である。
【図面の簡単な説明】
【００１６】
【図１】本発明の実施例に係り、時計装置を示す正面図である。
【図２】本発明の実施例に係り、時計装置を示す側面断面図である。
【図３】本発明の実施例に係り、時計装置を示す背面図である。
【図４】本発明の実施例に係り、発音装置を示す側面断面図である。
【図５】本発明の実施例に係り、音孔開閉手段を示す説明図である。
【図６】本発明の実施例に係り、音孔開閉手段及び振動低減部材を示す上面断面図であり、（ａ）は音孔を開いた状態を示し、（ｂ）は音孔を閉じた状態を示している。
【符号の説明】
【００１７】
１    時計装置
１０    筐体
１０ａ    長孔
１１    窓部
１２    音孔
１３    音孔開閉手段
１３ａ    通孔
１３ｂ    操作部
１３ｃ    遮蔽板
２０    人形駆動装置
２１    人形
３０    時計本体
１００    発音装置
１１０    発音体
１１１    棒鈴
１１２    振動板
１１３    支持体
１２０    発音体振動手段
１２１    ソレノイド
１２２    撞木
１３０    振動低減部材
１３１    プレート
１３２    緩衝体
１３３    係止部
１３４    凹部
【図１】
0004420903.tif 000002
【図２】
0004420903.tif 000003
【図３】
0004420903.tif 000004
【図４】
0004420903.tif 000005
【図５】
0004420903.tif 000006
【図６】
0004420903.tif 000007